(57)【特許請求の範囲】
【請求項１】
発光素子に電力を供給する電源基板と、
前記電源基板を覆う電源収納部と、
前記電源収納部と少なくとも一部が一体的に形成され、前記電源基板と電気的に接続する端子を収納する端子収納部と、を備え、
前記端子は、差込部を有し、
前記端子収納部は、前記差込部を差し込むための端子用貫通孔を有し、
前記端子用貫通孔に差し込まれた差込部は、前記電源基板に直接接続されることを特徴とする照明装置。
【請求項２】
前記端子収納部は、
前記電源収納部の前記電源基板と対向する面の裏面に前記電源収納部と一体的に形成される端子台と、前記端子台と共に端子を収納する端子収納部カバーと、を含むことを特徴とする請求項１に記載の照明装置。
【請求項３】
前記端子台は、凸部を有し、
前記端子収納部カバーは、前記凸部が挿入する挿入孔部を有する
ことを特徴とする請求項２に記載の照明装置。
【請求項４】
前記端子収納部は、
前記端子台に前記端子を固定するための押え部と、を含む
ことを特徴とする請求項２または３のいずれか１項に記載の照明装置。
【請求項５】
前記端子収納部は、前記裏面の中心を含む範囲に形成されていることを特徴とする請求項２に記載の照明装置。
【請求項６】
前記端子は、前記裏面に設けられた孔部を通って前記電源基板に直接固定されることを特徴とする請求項２または５のいずれか１項に記載の照明装置。
【請求項７】
前記端子は、複数設けられ、
前記端子収納部は、外部から引き回された第１のケーブルを前記端子のうちの一の端子に接続するために設けられた第１の孔部と、前記第１の孔部に対向する面に設けられ、外部から引き回された第２のケーブルを前記端子のうちの他の端子に接続するために設けられた第２の孔部と、を有することを特徴とする請求項４に記載の照明装置。
【発明の詳細な説明】
【技術分野】
【０００１】
本発明は、照明装置に関する。
【背景技術】
【０００２】
低消費電力の照明装置として、ＬＥＤ（Ｌｉｇｈｔ  Ｅｍｉｔｔｉｎｇ  Ｄｉｏｄｅ）素子を用いた照明装置が実用化されている。本明細書では、以降、ＬＥＤ素子を用いた照明装置を「ＬＥＤ照明装置」と記すものとする。
【０００３】
公知のＬＥＤ照明装置としては、例えば、特許文献１に記載されたものがある。特許文献１には、ＬＥＤ素子に給電するための配線基板を覆う基板収納ケースの上面に放熱フィンと給電装置が収容されるボックスとが設けられたＬＥＤ照明装置が記載されている。
【先行技術文献】
【特許文献】
【０００４】
【特許文献１】特開２０１１−１３４５０１号公報
【発明の概要】
【発明が解決しようとする課題】
【０００５】
しかしながら、特許文献１に記載されたＬＥＤ照明装置は、ＬＥＤ素子が発生する熱を、放熱フィンを使って放熱している。放熱フィンは、放熱効率の観点から配線基板の直上に設けられる。このため、特許文献１に記載のＬＥＤ照明装置は、基板収納ケースの配線基板直上にあたる位置に放熱フィンを備え、給電装置が基板収納ケースの外部に張り出している。このような構成のＬＥＤ照明装置は、装置を小型化することにおいて不利である。
また、給電装置が配線基板直上からずれて配置されると、給電装置と配線基板との距離が長くなり、両者を電気的に接続する配線の引き回しが複雑になる。
【０００６】
本発明は、上記の点に鑑みて行われたものであり、小型化に有利であって、給電装置と基板との距離が短く、しかも組立工程数が少ない照明装置を提供することを目的とする。
【課題を解決するための手段】
【０００７】
上記課題を解決するために、本発明の一態様に係る照明装置は、発光素子に電力を供給する電源基板と、前記電源基板を覆う電源収納部と、前記電源収納部と少なくとも一部が一体的に形成され、前記電源基板と電気的に接続する端子を収納する端子収納部と、を備え、前記端子は、差込部を有し、前記端子収納部は、前記差込部を差し込むための端子用貫通孔を有し、前記端子用貫通孔に差し込まれた差込部は、前記電源基板に直接接続されることを特徴とする。
【０００８】
また、本発明の一態様に係る照明装置は、上記態様において、前記端子収納部は、前記電源収納部の前記電源基板と対向する面の裏面に前記電源収納部と一体的に形成される端子台と、前記端子台と共に端子を収納する端子収納部カバーと、を含むようにすることができる。
また、本発明の一態様に係る照明装置は、前記端子台は、凸部を有し、前記端子収納部カバーは、前記凸部が挿入する挿入孔部を有することができる。
また、本発明の一態様に係る照明装置は、前記端子収納部は、前記端子台に前記端子を固定するための押え部と、を含むことができる。
また、本発明の一態様に係る照明装置は、上記態様において、端子収納部が、裏面の中
心を含む範囲に形成することができる。
また、本発明の一態様に係る照明装置は、上記態様において、端子を、裏面に設けられ
た孔部を通って電源基板に直接固定することができる。
また、本発明の一態様に係る照明装置は、上記態様において、端子が複数設けられ、端
子収納部は、外部から引き回された第１のケーブルを端子のうちの一の端子に接続するた
めに設けられた第１の孔部と、第１の孔部に対向する面に設けられ、外部から引き回され
た第２のケーブルを端子のうちの他の端子に接続するために設けられた第２の孔部と、を
有することができる。
【発明の効果】
【０００９】
本発明によれば、給電装置と基板との距離が短く、しかも組立工程数が少ない照明装置を提供することができる。
【図面の簡単な説明】
【００１０】
【図１】本発明の一実施形態に係るＬＥＤ照明装置の外観を示した斜視図である。
【図２】本発明の一実施形態に係るＬＥＤ照明装置の側面図及び断面図である。
【図３】本発明の一実施形態に係る他の方向から見たＬＥＤ照明装置の側面図及び断面図である。
【図４】本発明の一実施形態に係るＬＥＤ照明装置の上面図及び底面図である。
【図５】本発明の一実施形態に係るＬＥＤ照明装置の分解斜視図である。
【図６】図５に示した構成のうち、端子収納部カバー、端子台、電源収納部及び電源基板の分解斜視図である。
【図７】他のバッフルを用いたＬＥＤ照明装置の外観を示した斜視図である。
【図８】図７に示したＬＥＤ照明装置の側面図及び断面図である。
【図９】図７に示したＬＥＤ照明装置を他の方向から見た側面図及び断面図である。
【図１０】図７に示したＬＥＤ照明装置の分解斜視図である。
【発明を実施するための形態】
【００１１】
以下、本発明の一実施形態ついて説明する。
図１は、本実施形態のＬＥＤ照明装置１の外観を示した斜視図である。図２（ａ）は図１に示したＬＥＤ照明装置１を矢線ｐが示す方向から見た側面図、図２（ｂ）は図２（ａ）に示した線分Ａ−Ａに沿うＬＥＤ照明装置１の断面図である。図３（ａ）は図１に示したＬＥＤ照明装置１を矢線ｑが示す方向から見た側面図、図３（ｂ）は図３（ａ）に示した線分Ｂ−Ｂに沿うＬＥＤ照明装置１の断面図である。図４（ａ）はＬＥＤ照明装置１の上面図、図４（ｂ）はＬＥＤ照明装置１の底面図である。
【００１２】
本実施形態のＬＥＤ照明装置１は、天井や壁に設けられた取付孔部に差し込んで取付けられる。本実施形態では、ＬＥＤ照明装置１が取り付けられた状態で光を照射する側を「下」、取付孔部に対する差し込み方向を「上」、上下方向に直交する方向を「横」として以降の説明を行う。
本実施形態のＬＥＤ照明装置１は、図１に示すように、端子収納部３と、電源収納部５と、バッフル７と、を備えている。端子収納部３は、後に図示する電源基板１５と対向する電源収納部５の面の裏面の中心を含む範囲に形成されている。なお、上記定義によれば、ＬＥＤ照明装置１は、端子収納部３を有する側が「上」、バッフル７が設けられている側が「下」となる。
【００１３】
端子収納部３は、全体が略直方体を有している。図４（ａ）に示すように、直方体の対向する一対の側面には、孔部１３ａ、１３ｂが２つずつ形成されていて、孔部１３ａには外部から引き回される破線で示すケーブルｃ１及びｃ２が挿入され、孔部１３ｂには外部から引き回される破線で示すケーブルｃ３及びｃ４が挿入される。ケーブルｃ１及びｃ２は、交流の商用電源と接続されている。
図２（ｂ）、図３（ｂ）及び図５に示すように、端子収納部３は、端子収納部カバー２３と、端子台２５とが係り合って構成されている。端子台２５は、電源収納部５の上部３４、即ち、電源基板１５と対抗する電源収納部５の面の裏面と一体的に形成されている。このような端子収納部３は、その少なくとも一部が電源収納部５と一体的に形成されるものである。端子台２５の底面となる電源収納部５の上部３４には、端子収納部３に収納される図５に示す端子５７ａ、５７ｂの差込部５９が貫通する端子用貫通孔２７が２つ形成されている。さらに、端子収納部３は、シリコーン製のカバー２４に覆われている。
【００１４】
本実施形態は、上記構成により、端子収納部３と電源収納部５とを一体の構成として組み立てることができる。このため、本実施形態は、端子収納部３と電源収納部５とを別個に組み立てて両者の間を電気的に接続するよりも、組立に係る工程の数を少なくすることができる。
【００１５】
また、図２（ｂ）、図３（ｂ）に示したように、電源収納部５は、上部３４、上段部３５、段差部３３及び下段部３６を有している。上部３４は円板状の板部材の上に端子台２５が一体的に形成されている部材である。上段部３５は、上部３４の端子台２５が設けられている面に対する裏面と周面の一方の端部が接触する筒部として構成される。段差部３３は、上段部３５の周面の他方の端部から略横方向に張り出すドーナツ板形状の部材である。下段部３６は、段差部３３の外縁から略下方向に沿って延びる周面を有する筒部として構成される。
【００１６】
本実施形態の電源収納部５は、外周面に等間隔に設けられた４つの凹部３７を有し、４つの凹部３７は対向する凹部３７と対をなす。一対の凹部３７は、上段部３５、段差部３３、下段部３６に亘って形成された面３７ａと、面３７ａと直交して下段部３６に形成される面３７ｂとを各々有している。一対の凹部３７の面３７ａ、３７ｂには、各々取付バネ９がネジ１１によって固定されている。
端子収納部３及び電源収納部５の材質としては、絶縁性と耐熱性の条件を満たす樹脂が用いられる。このような樹脂としては、ポリカーボネート等が考えられる。
【００１７】
ＬＥＤ照明装置１は、端子収納部３の側から天井や壁面に形成された取付孔に差し込まれる。ＬＥＤ照明装置１を天井に取り付ける場合、取付バネ９は、ＬＥＤ照明装置１本体の側に寄せて縮められた状態で、取付孔に挿入される。取付バネ９全体が取付孔に入り込むと、縮んでいた取付用バネ９が弾性変形により広がる。このため、取付用バネ９の折り曲げ部９ａが天井等の裏面（上面）に接する。また、天井等の表面（下面）には照射口４９の鍔部５０が接する。
これによりＬＥＤ照明装置１は、取付バネ９とバッフル７の照射口４９の鍔部５０とによって挟持される天井板に保持されて、取付孔内に取り付けられる。
【００１８】
バッフル７は、ＬＥＤ素子が発光した光の照射範囲を規制すると共に、ＬＥＤ素子が発生した熱を吸収し、外部に放出する枠体である。即ち、図２（ｂ）、図３（ｂ）に示したように、ＬＥＤ照明装置１は、ＬＥＤ素子４１が実装されたＬＥＤ実装基板１７と、ＬＥＤ実装基板１７のＬＥＤ素子４１が実装された面に対する裏面に設けられ、ＬＥＤ素子４１が発生した熱を伝導する放熱板２１と、ＬＥＤ素子４１の光の照射側に設けられ、放熱板２１から伝導された熱を吸熱するバッフル７と、を有している。
【００１９】
バッフル７は、放熱板２１と熱的に接触する接触部４７と、ＬＥＤ素子４１の光を外部に照射する照射口４９と、を有している。放熱板２１は、ＬＥＤ実装基板１７と略面積が等しい円形の底部２０と、底部２０に対して段差を有し、ドーナツ板形状の縁部２２と、を有している。接触部４７は、縁部２２の略全面と接触する面を有するドーナツ板形状の部材であり、バッフル７は、接触部４７と、このような接触部４７の外縁から略下方向に向かって延びる周面を有する筒部材４６と、を有している。筒部材４６は、照射口４９から横方向に広がるドーナツ板形状の鍔部５０を有している。
【００２０】
バッフル７の接触部４７における厚さｄ１は、照射口４９の側のバッフル７の厚さｄ２よりも厚く形成されている。なお、本実施形態において、「バッフルの厚さ」とは、バッフル７の筒部材４６が接触部４７の外縁から図中の−Ｙ方向に広がりを持つものとし、−Ｙ方向と直交するＸ方向のバッフル７の厚さをいう。
上記Ｘ方向、Ｙ方向を示す軸は、図２（ａ）に示した線分Ａ−Ａ、または図３（ａ）に示した線分Ｂ−Ｂ上に原点を定められる。図２（ｂ）、図３（ｂ）に示したＸ軸、Ｙ軸、Ｚ軸は、座標を移動して図示したものである。Ｘ軸は、図２（ａ）、図３（ａ）に示した側面図において、対をなす２つの取付バネ９同士を結ぶ最短の直線に沿う方向を示す。Ｙ軸は、図２（ａ）に示した線分Ａ−Ａ、または図３（ａ）に示した線分Ｂ−Ｂに沿う方向を示す。Ｚ軸は、Ｘ軸及びＹ軸に対して直交する方向を示している。
【００２１】
上記構成を有することにより、本実施形態のバッフル７は、ＬＥＤ素子４１が照射する光の光路を含み、ＬＥＤ素子４１の側から照射口４９の側に向かって末広がりの略円錐台形状の空間５１を内部に有することになる。バッフル７の筒部材４６の内壁４８は、バッフル７が吸熱した熱を放熱する放熱部として機能する。
なお、バッフル７は、ＬＥＤ素子４１が発生した熱を効率的に吸収する適正な比熱の金属材料であればどのような材料を用いるものであってもよい。バッフル７に好適な材料としては、例えば、アルミニウムを材料としてダイカスト製法により製造された金属がある。
【００２２】
さらに、ＬＥＤ照明装置１は、図２（ｂ）、図３（ｂ）及び図４（ｂ）、図５に示したように、バッフル７においてＬＥＤ実装基板１７の下側にシール部材２９を挟んで取り付けられた拡散カバー１９を有している。拡散カバー１９は、ＬＥＤ素子４１が発した光を拡散させる機能を有している。このため、拡散カバー１９を透過した光は、拡散カバーの全面から略均一な明るさで下方に向けて照射される。
【００２３】
図５は、本実施形態のＬＥＤ照明装置１の分解斜視図である。図５に示すように、端子収納部３は、端子収納部カバー２３と、端子台２５とによって構成されている。端子収納部カバー２３には切欠部１３ａａを有し、端子台２５は切欠部１３ａｂを有している。端子収納部カバー２３と端子台２５とを重ね合わせることによって切欠部１３ａａと切欠部１３ａｂとが対向して配置され、孔部が形成される。切欠部１３ａａと切欠部１３ａｂとによって形成される孔部が、端子収納部３の対向する一対の側面に形成される孔部１３ａ、１３ｂとなる。
【００２４】
また、端子収納部３の内部には、２つの端子５７ａ、５７ｂが設けられる。端子５７ａ、５７ｂは、図２（ｂ）に示した端子用貫通孔２７に差込部５９を差し込んで端子台２５に固定される。端子用貫通孔２７に差し込まれた差込部５９は、電源基板１５に直接接続されて、商用電源につながる図示しない配線と電源基板１５が電気的に接続される。
【００２５】
このような構成によれば、端子収納部３内の端子５７ａ、５７ｂを電源基板１５に直接接続することができる。このため、端子５７ａ、５７ｂと電源基板１５との間に配線を引き回すことが必要なくなり、端子５７ａ、５７ｂと電源基板１５とを低抵抗で接続することができると共に、ＬＥＤ照明装置１の設計の自由度を高めることができる。
【００２６】
端子収納部３内において、端子５７ａ、５７ｂは、それぞれ端子押え部３１によって端子台２５に押えつけられて固定されている。端子５７ａ、５７ｂは複数設けられ（本実施形態では２つ）、端子５７ａには、例えば図１、図４（ａ）に示したケーブルｃ１、ｃ３が挿入される。また、端子５７ｂには、例えば図１、図４（ａ）に示したケーブルｃ２、ｃ４が挿入される。
孔部１３ａの一方は、端子５７ａと挿入されたケーブルｃ１とを電気的に接続するために設けられている。孔部１３ａの他方は、端子５７ｂと挿入されたケーブルｃ２とを電気的に接続するために設けられている。また、孔部１３ｂの一方は、端子５７ａと挿入されたケーブルｃ３とを電気的に接続するために設けられ、孔部１３ｂの他方は、端子５７ｂと、挿入されたケーブルｃ４とを電気的に接続するために設けられている。
ＬＥＤ照明装置１が合計４つの孔部１３ａ、１３ｂ２つずつを有する理由は、複数のＬＥＤ照明装置１を並列に接続する場合に２つの孔部１３ａ、１３ｂを中継用に使用するためである。
【００２７】
図６は、図５に示した端子収納部カバー２３、端子台２５、電源収納部５及び電源基板１５を示した図である。端子収納部カバー２３は、平面視において矩形の蓋面５２と、矩形の４辺に対して垂直な側面５４とを有している。対向する１つの側面５４は孔部２３ａを有している。端子台２５は、上部３４に対して垂直な４つの側面５６を有している。対向する一対の側面５６は、凸部２５ａを有している。
さらに、蓋面５２は、２つの孔部５３を有している。孔部５３には、２つの端子押え部３１がそれぞれ挿入される。
【００２８】
端子収納部カバー２３と端子台２５とを重ね合わせたとき、孔部２３ａに凸部２５ａを挿入することにより、端子収納部カバー２３は端子台２５に固定される。また、このとき、孔部５３に端子押え部３１が挿入され、端子押え部３１は端子５７ａ、５７ｂを端子収納部３内の所定の場所に固定すると共に、自身も端子収納部３内に固定される。
さらに、端子収納部カバー２３のネジ穴１１ａと端子台２５のネジ穴１１ｂとが重なり、端子収納部カバー２３と端子台２５とが図２（ｂ）、図３（ｂ）に示したネジ１１によって留められる。
【００２９】
以上説明した本実施形態によれば、端子収納部３が電源基板１５と対向する電源収納部５の面の裏面（即ち上部３４）の中心を含む範囲に形成されている。このため、端子収納部３が上部３４から張り出すことがなく、ＬＥＤ照明装置１を小型化することに有利である。
また、本実施形態は、端子収納部３と電源収納部５とが一体的に形成されているため、端子収納部３及び電源収納部５の組立工程が簡易になる。また、ＬＥＤ照明装置１の部品点数を低減することができる。
【００３０】
また、本実施形態によれば、バッフル７を使ってＬＥＤ素子４１が発生した熱を吸熱し、放熱している。このため、本実施形態は、電源収納部に放熱フィン等を設ける必要がなく、端子収納部３を電源収納部５の上部３４の中央に設けることができる。このため、第１実施形態は、端子と電源収納部５に収容される電源基板との距離を極力短くすることができる。さらに、端子収納部３の対向する面にケーブル接続用の孔部１３ａ、１３ｂを設けることができる。このため、第１実施形態は、端子５７ａ、５７ｂに対するケーブルの引き回しを簡易にすることができる。
【００３１】
また、本実施形態によれば、バッフル７をＬＥＤ実装基板１７よりも照射口４９の側に設けたことにより、バッフル７の内壁４８が外部に露出し、接触部４７によって吸熱された熱を効率的に放熱することができる。さらに、本実施形態は、接触部４７の厚さを内壁４８の厚さよりも厚くしたことにより、接触部４７の熱容量を高め、ＬＥＤ素子４１が発生した熱を効率的に吸熱することができる。
【００３２】
なお、本実施形態のＬＥＤ照明装置は、以上説明した構成に限定されるものではない。例えば、ＬＥＤ照明装置のバッフルは、上記した接触部４７を有するバッフルに限定されるものではない。本実施形態は、例えば、バッフルとしてＬＥＤ素子が発生した熱を放熱させる枠体として機能するバッフルを用いてもよい。以下、このようなバッフルを用いたＬＥＤ照明装置７０の構成を説明する。
【００３３】
図７は、図１から図５に示したバッフル７と異なるバッフル７７を用いたＬＥＤ照明装置７０の外観を示した斜視図である。図８は図７に示したＬＥＤ照明装置７０を矢線ｐが示す方向から見た側面図、図８（ｂ）は図８（ａ）に示した線分Ｃ−Ｃに沿うＬＥＤ照明装置７０の断面図である。図９（ａ）は図７に示したＬＥＤ照明装置７０を矢線ｑが示す方向から見た側面図、図９（ｂ）は図９（ａ）に示した線分Ｄ−Ｄに沿うＬＥＤ照明装置７０の断面図である。図１０は、ＬＥＤ照明装置７０の分解斜視図である。図７から図１０のうち、図７から図６中に示した構成と同様の構成については同様の符号を付し、その説明を略すものとする。
【００３４】
ＬＥＤ照明装置７０は、ＬＥＤ照明装置１と同様に、天井や壁に設けられた取付凹部に取付けられる。このようなＬＥＤ照明装置７０は、端子収納部７３を有する側を「上」、バッフル７７が設けられている側が「下」となる。さらに、上下方向に対して直交する方向を「横方向」として以降の説明を行う。
【００３５】
端子収納部７３は、図８（ｂ）、図９（ｂ）に示すように、直方体の対向する一対の側面の一方に２つの孔部１３ａが形成されていて、他方の側面に２つの孔部１３ｂが形成されている。図７に示すように、孔部１３ａと、孔部１３ａが形成された側面に対向する側面に設けられた孔部１３ｂには、ケーブルｃ１からケーブルｃ４が挿入されている。
図８（ｂ）、図９（ｂ）に示すように、端子収納部７３は、端子収納部カバー８３と、端子台８５とが係り合って構成されている。端子台８５は電源収納部７５の上面と一体的に形成されている。図８（ｂ）に示すように、端子台８５の端子用貫通孔に差し込まれた端子５７ａ、５７ｂは、電源基板１５に直接電気的に接続されている。端子収納部７３は、シリコーン製のカバー８４に覆われている。
【００３６】
また、図８（ｂ）、図９（ｂ）に示したように、電源収納部７５は、上部９４、上段部９５、段差部９３及び下段部９６を有している。上部９４は円板状の板部材の上に端子台８５が一体的に形成されている部材である。上段部９５は、上部９４の端子台８５が設けられている面に対する裏面と周面の一方の端部が接触する筒部として構成される。段差部９３は、上段部９５の周面の他方の端部から略横方向に張り出すドーナツ板形状の部材である。下段部９６は、段差部９３の外縁から略下方向に沿って延びる周面を有する筒部として構成される。
【００３７】
電源収納部７５は、対向する位置に設けられた２つの凹部８７を有している。２つの凹部８７には、各々取付バネ９がネジ１１によって固定されている。端子収納部７３及び電源収納部７５の材質としては、絶縁性と耐熱性の条件を満たす樹脂が用いられる。このような樹脂としては、ポリカーボネート等が考えられる。
【００３８】
バッフル７７は、ＬＥＤ素子４１が発光した光の照射範囲を規制すると共に、ＬＥＤ素子が発生した熱を伝えて外部に放出する。このようなバッフル７７としては、熱を伝導しやすく、放熱しやすい材料が望ましい。このようなバッフル７７は、例えば、鋼板を材料とすることができる。鋼板は、加工がし易く、低コストであることで知られている。このため、ＬＥＤ照明装置７０の材料として好適である。
【００３９】
図１０に示すように、ＬＥＤ照明装置７０は、ＬＥＤ実装基板１７と接触する放熱板８１を有している。放熱板８１は、ＬＥＤ実装基板１７と略面積が等しい円形の底部８０と、底部８０に対して段差を有し、ドーナツ板形状の縁部８２と、を有している。バッフル７７は、放熱板８１の縁部８２と熱的に接触するドーナツ状の熱伝達部１０７と、熱伝達部１０７に伝わった熱を外部に放熱する放熱部１０６と、を有している。熱伝達部１０７及び放熱部１０６は、図８（ｂ）、図９（ｂ）に示すように、一様の厚さを有している。
［その他］
【００４０】
本発明は、以上に記載した実施形態に限定されるものではない。当業者の知識に基づいて各実施形態に設計の変更等を加えてもよく、そのような変更が加えられた態様も本発明の範囲に含まれる。
【符号の説明】
【００４１】
１：ＬＥＤ照明装置、３，７３：端子収納部、５，７５：電源収納部、
７，７７：バッフル，９：取付バネ、１３ａ，１３ｂ：孔部、１５：電源基板、
１７：ＬＥＤ実装基板，１９：拡散カバー、２１：放熱板、２３：端子収納部カバー、
２５：端子台、２７：端子用貫通孔、３３：段差部、３４：上部、３５：上段部、
３６：下段部、３７：凹部、４１：ＬＥＤ素子、４６：筒部材、４７：接触部、
４８：内壁、４９：照射口、５１：空間、５７ａ，５７ｂ：端子、５９：差込部
【図１】
0006585887.tif 000002
【図２】
0006585887.tif 000003
【図３】
0006585887.tif 000004
【図４】
0006585887.tif 000005
【図５】
0006585887.tif 000006
【図６】
0006585887.tif 000007
【図７】
0006585887.tif 000008
【図８】
0006585887.tif 000009
【図９】
0006585887.tif 000010
【図１０】
0006585887.tif 000011